【手続補正書】
【提出日】平成18年10月11日(2006.10.11)
【手続補正１】
【補正対象書類名】特許請求の範囲
【補正対象項目名】全文
【補正方法】変更
【補正の内容】
【特許請求の範囲】
【請求項１】
ホストシステムに接続可能な電子回路カードにおいて、
不揮発性大容量データ記憶装置部分を含むメモリモジュールと、
前記カードと外部装置との間でデータを伝達する入出力モジュールであって、前記カードが接続されるホストからのコマンドに応じて、前記カードは前記入出力モジュールと前記大容量データ記憶装置部分との間の前記データの直接メモリアクセス形転送を用いて前記外部装置と前記不揮発性大容量データメモリとの間でデータ転送を実行するものである入出力モジュールと、
を備えることを特徴とするカード。
【請求項２】
前記メモリモジュールはメモリコントローラをさらに備え、前記入出力モジュールは入出力コントローラをさらに備え、前記カードは、
バス構造であって、前記バス構造によってデータおよびコマンドが前記ホストとカードとの間で交換され、前記メモリコントローラと前記入出力コントローラとはともに前記バス構造に独立して接続され、前記直接メモリアクセス形転送は前記バス構造を用いて実行されるものであるバス構造と、
をさらに備えることを特徴とする請求項１記載のカード。
【請求項３】
前記ホストは、前記直接メモリアクセス形転送の間、前記バス構造を介して前記カードにクロック信号を供給することを特徴とする請求項２記載のカード。
【請求項４】
前記メモリモジュールは複合メモリ・入出力コントローラをさらに備え、前記カードは、
バス構造であって、前記バス構造によってデータおよびコマンドが前記ホストとカードとの間で交換され、前記複合コントローラは前記バス構造に接続され、前記直接メモリアクセス形転送は前記バス構造を用いずに実行されるものであるバス構造と、
をさらに備えることを特徴とする請求項１記載のカード。
【請求項５】
前記直接メモリアクセス形転送は、前記ホストのクロックとは無関係に実行されることを特徴とする請求項４記載のカード。
【請求項６】
前記ホストは、前記直接メモリアクセス形転送の間、前記データにアクセスすることができることを特徴とする請求項４記載のカード。
【請求項７】
前記カードは、ＳＤカード規格に従うことを特徴とする請求項１記載のカード。
【請求項８】
前記入出力モジュールは、赤外線トランシーバを備えることを特徴とする請求項１記載のカード。
【請求項９】
前記入出力モジュールは、無線周波数トランシーバを備えることを特徴とする請求項１記載のカード。
【請求項１０】
前記入出力モジュールは、前記外部装置へのケーブル接続のためのポートを備えることを特徴とする請求項１記載のカード。
【請求項１１】
システムにおいて、
ホストと、
外部通信装置と、
ホストシステムに接続可能な電子回路カードであって、前記カードは、
不揮発性大容量データ記憶装置部分を含むメモリモジュールと、
前記カードと前記外部装置との間でデータを伝達する入出力モジュールであって、前記ホストからのコマンドに応じて、前記カードは前記入出力モジュールと前記大容量データ記憶装置部分との間の前記データの直接メモリアクセス形転送を用いて前記外部装置と不揮発性大容量データ記憶装置部分との間でデータ転送を実行するものである入出力モジュールと、を備える電子回路カードと、
を備えることを特徴とするシステム。
【請求項１２】
前記メモリモジュールはメモリコントローラをさらに備え、前記入出力モジュールは入出力コントローラをさらに備え、前記カードは、
バス構造であって、前記バス構造によってデータおよびコマンドが前記ホストとカードとの間で交換され、前記メモリコントローラと前記入出力コントローラとはともに前記バス構造に独立して接続され、前記直接メモリアクセス形転送は前記バス構造を用いて実行されるものであるバス構造と、
をさらに備えることを特徴とする請求項１１記載のシステム。
【請求項１３】
前記ホストは、前記直接メモリアクセス形転送の間、前記バス構造を介して前記カードにクロック信号を供給することを特徴とする請求項１２記載のシステム。
【請求項１４】
前記メモリモジュールは複合メモリ・入出力コントローラをさらに備え、前記カードは、
バス構造であって、前記バス構造によってデータおよびコマンドが前記ホストとカードとの間で交換され、前記複合コントローラは前記バス構造に接続され、前記直接メモリアクセス形転送は前記バス構造を用いずに実行されるものであるバス構造と、
をさらに備えることを特徴とする請求項１１記載のシステム。
【請求項１５】
前記直接メモリアクセス形転送は、前記ホストのクロックとは無関係に実行されることを特徴とする請求項１４記載のシステム。
【請求項１６】
前記ホストは、前記直接メモリアクセス形転送の間、前記データにアクセスすることができることを特徴とする請求項１４記載のシステム。
【請求項１７】
前記カードは、ＳＤカード規格に従うことを特徴とする請求項１１記載のシステム。
【請求項１８】
前記入出力モジュールは、赤外線トランシーバを備えることを特徴とする請求項１１記載のシステム。
【請求項１９】
前記入出力モジュールは、無線周波数トランシーバを備えることを特徴とする請求項１１記載のシステム。
【請求項２０】
前記入出力モジュールは、前記外部装置へのケーブル接続のためのポートを備えることを特徴とする請求項１１記載のシステム。
【請求項２１】
ソケット構造をさらに備え、これによって前記カードは前記ホストに取り付け可能であることを特徴とする請求項１１記載のシステム。
【請求項２２】
前記ソケット構造は、前記ホストの一部であることを特徴とする請求項２１記載のシステム。
【請求項２３】
ホストシステムと接続された電子回路カードの不揮発性メモリモジュールと外部装置との間でデータを伝達する方法において、前記ホストから前記カードへコマンドを発し、これに応じて、前記ホストシステムを通すのではなくて、前記不揮発性メモリと前記入出力モジュールとの間の直接メモリアクセス転送を用いる前記カードの入出力モジュールを介して前記メモリモジュールと前記外部装置との間でデータを伝達するステップを含むことを特徴とする方法。
【請求項２４】
データは、前記入出力モジュール内に備えられるアンテナを介して前記入出力モジュールと前記外部装置との間で無線により伝達されることを特徴とする請求項２３記載の方法。
【請求項２５】
前記入出力モジュールを介して前記メモリと前記外部装置との間でデータを伝達する前記ステップは、前記メモリと前記ホストシステムとの間のデータ転送も制御する前記カードのコントローラを利用することを特徴とする請求項２３記載の方法。
【請求項２６】
前記入出力モジュールを介して前記ホストと前記外部装置との間でデータを伝達する前記ステップは、前記入出力モジュールと前記ホストシステムとの間のデータ転送も制御する前記カードのコントローラを利用することを特徴とする請求項２５記載の方法。
【請求項２７】
前記ホストは、前記直接メモリアクセス転送の間、前記データにアクセスすることができることを特徴とする請求項２６記載の方法。
【請求項２８】
ホストシステムに接続可能な電子回路カードにおいて、
不揮発性大容量データ記憶装置部分を含むメモリモジュールと、
前記ホストカードシステムから外部的にデータを受け取りかつ／または前記ホストカードシステムへ外部的にデータを送ることを含む外部データ転送を実行する入出力モジュールであって、前記カードが接続されるホストからのコマンドに応じて、前記カードは前記入出力モジュールと前記大容量データ記憶装置部分との間の前記データの直接メモリアクセス形転送を用いて前記不揮発性大容量データ記憶装置部分との外部データ転送を実行するものである入出力モジュールと、
を備えることを特徴とするカード。
【請求項２９】
前記データは、画像情報であることを特徴とする請求項２８記載のカード。
【請求項３０】
前記入出力モジュールは、画像センサを備えることを特徴とする請求項２９記載のカード。
【請求項３１】
前記入出力モジュールは、レンズを備えることを特徴とする請求項２９記載のカード。
【請求項３２】
前記メモリモジュールはメモリコントローラをさらに備え、前記入出力モジュールは入出力コントローラをさらに備え、前記カードは、
バス構造であって、前記バス構造によってデータおよびコマンドが前記ホストとカードとの間で交換され、前記メモリコントローラと前記入出力コントローラとはともに前記バス構造に独立して接続され、前記直接メモリアクセス形転送は前記バス構造を用いて実行されるものであるバス構造と、
をさらに備えることを特徴とする請求項２８記載のカード。
【請求項３３】
前記ホストは、前記直接メモリアクセス形転送の間、前記バス構造を介して前記カードにクロック信号を供給することを特徴とする請求項３２記載のカード。
【請求項３４】
前記メモリモジュールは複合メモリ・入出力コントローラをさらに備え、前記カードは、
バス構造であって、前記バス構造によってデータおよびコマンドが前記ホストとカードとの間で交換され、前記複合コントローラは前記バス構造に接続され、前記直接メモリアクセス形転送は前記バス構造を用いずに実行されるものであるバス構造と、
をさらに備えることを特徴とする請求項２８記載のカード。
【請求項３５】
前記直接メモリアクセス形転送は、前記ホストのクロックとは無関係に実行されることを特徴とする請求項３４記載のカード。
【請求項３６】
前記ホストは、前記直接メモリアクセス形転送の間、前記データにアクセスすることができることを特徴とする請求項３４記載のカード。
【請求項３７】
システムにおいて、
ホストと、
ホストシステムに接続可能な電子回路カードであって、前記カードは、
不揮発性大容量データ記憶装置部分を含むメモリモジュールと、
前記システムから外部的にデータを受け取りかつ／または前記システムへ外部的にデータを送ることを含む外部データ転送を実行する入出力モジュールであって、前記ホストからのコマンドに応じて、前記カードは前記入出力モジュールと前記大容量データ記憶装置部分との間の前記データの直接メモリアクセス形転送を用いて前記不揮発性大容量データ記憶装置部分との外部データ転送を実行するものである入出力モジュールと、を備える電子回路カードと、
を備えることを特徴とするシステム。
【請求項３８】
前記データは、画像情報であることを特徴とする請求項３７記載のシステム。
【請求項３９】
前記入出力モジュールは、画像センサを備えることを特徴とする請求項３８記載のシステム。
【請求項４０】
前記メモリモジュールはメモリコントローラをさらに備え、前記入出力モジュールは入出力コントローラをさらに備え、前記カードは、
バス構造であって、前記バス構造によってデータおよびコマンドが前記ホストとカードとの間で交換され、前記メモリコントローラと前記入出力コントローラとはともに前記バス構造に独立して接続され、前記直接メモリアクセス形転送は前記バス構造を用いて実行されるものであるバス構造と、
をさらに備えることを特徴とする請求項３７記載のシステム。
【請求項４１】
前記ホストは、前記直接メモリアクセス形転送の間、前記バス構造を介して前記カードにクロック信号を供給することを特徴とする請求項３８記載のシステム。
【請求項４２】
前記メモリモジュールは複合メモリ・入出力コントローラをさらに備え、前記カードは、
バス構造であって、前記バス構造によってデータおよびコマンドが前記ホストとカードとの間で交換され、前記複合コントローラは前記バス構造に接続され、前記直接メモリアクセス形転送は前記バス構造を用いずに実行されるものであるバス構造と、
をさらに備えることを特徴とする請求項３７記載のシステム。
【請求項４３】
前記直接メモリアクセス形転送は、前記ホストのクロックとは無関係に実行されることを特徴とする請求項４２記載のシステム。
【請求項４４】
前記ホストは、前記直接メモリアクセス形転送の間、前記データにアクセスすることができることを特徴とする請求項４２記載のシステム。
【請求項４５】
ソケット構造をさらに備え、これによって前記カードは前記ホストに取り付け可能であることを特徴とする請求項３７記載のシステム。
【請求項４６】
前記ソケット構造は、前記ホストの一部であることを特徴とする請求項４５記載のシステム。